(57)【要約】 【課題】  視聴者の利便性を改善した放送受信装置を提供する。【解決手段】  受信された映像信号に対して所定の信号処理を行う信号処理部１０５と、第１キー２００ｓと第２キー２００ｐとを備えたリモートコントローラ２００からの信号を受信する受信部１１４と、信号処理部１０５から出力された映像信号に基づいて番組を記録手段に録画するよう制御し、第１キー２００ｓが選択された信号を受信した場合に番組の表示を静止し、その後第２キー２００ｐが選択された信号を受信した場合であって、かつ、当該番組が録画されている場合に、番組を静止した位置から記録手段を用いて再生するように構成された制御部１１２と、を備えている映像受信装置１００。【選択図】図１
2012222800.tif 000002
【特許請求の範囲】
【請求項１】
受信した映像信号に対して所定の信号処理を行う信号処理部と、
第１キーと第２キーとを備えたリモートコントローラからの信号を受信する受信部と、
前記信号処理部から出力された映像信号に基づいて番組を記録手段に録画するよう制御し、前記第１キーが選択された信号を受信した場合に番組の表示を静止し、その後前記第２キーが選択された信号を受信した場合であって、かつ、当該番組が録画されている場合に、前記番組を静止した位置から前記記録手段を用いて再生するように構成された制御部と、を備えている映像受信装置。
【請求項２】
前記制御部は、前記番組の表示を静止した後に前記受信部を介して前記第１キーが選択された信号を受信した場合、前記番組と同じチャンネルの現在放送されている番組を表示するように構成されている請求項１記載の映像受信装置。
【請求項３】
前記リモートコントローラは第３キーをさらに備え、
前記制御部は、前記番組の表示を静止した後に前記受信部を介して前記第３キーが選択された信号を受信した場合、前記番組と同じチャンネルの現在放送されている番組を表示するように構成されている請求項１記載の映像受信装置。
【請求項４】
複数のチューナを含む受信手段をさらに備え、
前記制御部は、所定チャンネルについて所定曜日の所定時間に放送された番組を録画するように設定可能である請求項１乃至請求項３のいずれか１項記載の映像受信装置。
【請求項５】
前記制御部は、当該番組が録画されている場合に、前記番組の静止した位置をチャプタに登録するように構成されている請求項１乃至請求項４のいずれか１項記載の映像受信装置。
【請求項６】
ＯＳＤ信号を生成するＯＳＤ信号生成部をさらに備え、
前記制御部は、前記番組が前記所定チャネルの前記所定曜日の前記所定時間に放送されたものでない場合、前記ＯＳＤ信号生成部を制御して、静止した位置から表示することが不可能であることを視聴者へ提示する画面を表示するように構成されている請求項１乃至請求項５のいずれか１項記載の放送受信装置。
【請求項７】
前記映像処理部から出力された映像信号を表示する映像表示部をさらに備えている請求項１乃至請求項６のいずれか１項記載の放送受信装置。
【請求項８】
受信された映像信号に対して所定の信号処理を行う信号処理部と、
第１キーと第２キーとを備えたリモートコントローラからの信号を受信する受信部と、
前記信号処理部から出力された映像信号に基づいて番組を記録手段に録画するよう制御し、前記第１キーが選択された信号を受信した場合に番組の表示を静止し、その後前記第２キーが選択された信号を受信した場合であって、かつ、当該番組が録画されている場合に、前記番組を静止した位置から前記記録手段を用いて再生するように構成された制御部と、を備えている映像受信装置の制御方法であって、
前記制御部は、前記受信部を介して前記第１キーが選択された信号を受信した場合に番組の表示を静止し、
前記第２キーが選択された信号を受信し、かつ、当該番組が録画されているか判断し、
当該番組が録画されている場合に、前記番組を静止した位置から前記記録手段を用いて再生する、放送受信装置の制御方法。
【発明の詳細な説明】
【技術分野】
【０００１】
本発明の実施形態は、放送受信装置および放送受信装置の制御方法に関する。
【背景技術】
【０００２】
日本国内においては、ＢＳ（broadcasting satellite）デジタル放送及びＣＳ（communication satellite）デジタル放送等の衛星デジタル放送だけでなく、地上デジタル放送も開始されている。
【０００３】
近年では、テレビジョン放送を受信する放送受信装置においては、記録手段の容量の増加により、例えば、複数の放送信号を同時に受信し、所定期間に放送される全ての番組を記録する番組録画方法が可能である。
【先行技術文献】
【特許文献】
【０００４】
【特許文献１】特開２００５−３０３９２０号公報
【発明の概要】
【発明が解決しようとする課題】
【０００５】
視聴者が表示されている内容を書き留めたり席を外したりする場合、放送されている番組が進んでしまうため、継続して番組を視聴することができない場合があった。このような場合、視聴者は番組の一部が分からないまま番組を視聴することとなるため、より快適に視聴するための改善が望まれていた。
【０００６】
本発明は、上記事情を鑑みて成されたものであって、視聴者の利便性を改善した放送受信装置および放送受信装置の制御方法を提供することを目的とする。
【課題を解決するための手段】
【０００７】
実施形態によれば、受信した映像信号に対して所定の信号処理を行う信号処理部と、第１キーと第２キーとを備えたリモートコントローラからの信号を受信する受信部と、前記信号処理部から出力された映像信号に基づいて番組を記録手段に録画するよう制御し、前記第１キーが選択された信号を受信した場合に番組の表示を静止し、その後前記第２キーが選択された信号を受信した場合であって、かつ、当該番組が録画されている場合に、前記番組を静止した位置から前記記録手段を用いて再生するように構成された制御部と、を備えている映像受信装置。
【図面の簡単な説明】
【０００８】
【図１】実施形態の放送受信装置の一構成例を概略的に示すブロック図である。
【図２】実施形態の放送受信装置のリモートコントローラの一例を示す図である。
【図３】実施形態の放送受信装置の動作の一例を説明するためのフローチャートである。
【図４】実施形態の放送受信装置の地デジ機能設定画面の一例を示す図である。
【図５】実施形態の放送受信装置のタイムシフトマシン録画設定の一例を示す図である。
【図６】実施形態の放送受信装置のタイムシフトマシン録画画面の一例を示す図である。
【図７】実施形態の放送受信装置においてタイムシフトマシン録画をするチャンネルを設定する録画チャンネル画面の一例を示す図である。
【図８】実施形態の放送受信装置においてタイムシフトマシン録画をする時間を設定する録画時間画面の一例を示す図である。
【図９】実施形態の放送受信装置において、タイムシフトマシン録画をした番組を表示する過去番組表の一例を示す図である。
【発明を実施するための形態】
【０００９】
以下、実施形態の放送受信装置について、図面を参照して説明する。  
図１は、本実施形態の放送受信装置１００の主要な信号処理系を示している。
【００１０】
本実施形態の放送受信装置１００は、映像信号を選択的に受信する受信手段と、受信手段により受信された映像信号を表示可能に処理する信号処理部１０５と、信号処理部１０５から出力された信号を受信する音声処理部１０８およびグラフィック処理部１０７と、ＯＳＤ信号生成部と、映像処理部１０９と、音声処理部１０８から出力された信号を受信するスピーカ１１０と、映像処理部１０９から出力された信号を受信する映像表示部１１１と、ユーザによって操作される操作部１１３と、リモートコントローラ２００と、リモートコントローラからの信号を受信する受信部１１４と、明るさセンサ１１７と、各種インタフェースと、放送受信装置１００の動作を制御する制御部１１２と、を備えている。
【００１１】
受信手段は、地上デジタル放送受信用のアンテナ１０２と、複数の地上デジタル放送用のチューナを含むチューナ部１０４と、を備えている。地上デジタル放送受信用のアンテナ１０２で受信した地上デジタルテレビジョン放送信号は、入力端子１０３を介してチューナ部１０４に供給される。チューナ部１０４の複数のチューナは、それぞれ所望のチャンネルの放送信号が選局する。なお、複数のチューナは複数のデジタルチューナのみで構成されていてもよく、複数のデジタルチューナとアナログチューナとにより構成されていてもよい。
【００１２】
チューナ部１０４で選局された複数のデジタル放送信号は、信号処理部１０５に供給される。また、外部入力端子１０１を介して、デジタルあるいはアナログの映像信号および音声信号が外部機器から信号処理部１０７へ入力可能である。
【００１３】
信号処理部１０５は、入力された映像信号および音声信号をデジタルの映像信号及び音声信号に復調し、所定のデジタル信号処理を施し、グラフィック処理部１０７及び音声処理部１０８に出力している。
【００１４】
グラフィック処理部１０７は、信号処理部１０５から供給されるデジタルの映像信号に、ＯＳＤ（On Screen Display）信号生成部１０６で生成されるＯＳＤ信号を重畳して出力する。また、このグラフィック処理部１０７は、信号処理部１０５の出力映像信号と、ＯＳＤ信号生成部１０６の出力ＯＳＤ信号とを選択的に出力すること、また、両出力を多重したり、画面の半分を構成するように組み合わせて出力することができる。
【００１５】
グラフィック処理部１０７から出力されたデジタルの映像信号は、映像処理部１０９に供給される。この映像処理部１０９は、入力されたデジタルの映像信号を、映像表示部１１１で表示可能なフォーマットのアナログ映像信号に変換し、映像表示部１１１に出力して映像表示させる。
【００１６】
上記音声処理部１０８は、入力されたデジタルの音声信号を、スピーカ１１０で再生可能なフォーマットのアナログ音声信号に変換し、スピーカ１１０に出力して音声再生させる。
【００１７】
ここで、この放送受信装置１００は、上記した各種の受信動作を含むその全ての動作を制御部１１２によって統括的に制御されている。
【００１８】
制御部１１２は、ＣＰＵ（Central Processing Unit）等を内蔵している。操作部１１３からの操作情報を受けたとき、または、リモートコントローラ２００から送出された操作情報を受信部１１４から受信したとき、制御部１１２は、その操作内容が装置に反映されるように各部を統括して制御している。
【００１９】
この場合、制御部１１２は、主として、そのＣＰＵが実行する制御プログラムを格納したＲＯＭ（Read Only Memory）１１２Ａと、該ＣＰＵに作業エリアを提供するＲＡＭ（Random Access Memory）１１２Ｂと、各種の設定情報及び制御情報等が格納される不揮発性メモリ１１２Ｃと、録画する番組の映像信号、音声信号、および番組情報信号等が記録されるハードディスク１１２Ｄとの種々の記録手段を利用している。
【００２０】
制御部１１２は、カードＩ／Ｆ（Interface）１１５を介して、第１メモリカード１２２が装着可能なカードホルダ１１６に接続されている。これによって、制御部１１２は、カードホルダ１１６に装着された第１メモリカード１２２と、カードＩ／Ｆ１１５を介して映像信号および音声信号等の情報の送受信を行なうことができる。制御部１１２は、図示していないが、さらに別のカードＩ／Ｆを介して、第２メモリカードが装着可能なカードホルダに接続されてもよい。
【００２１】
制御部１１２は明るさセンサ１１７に接続されている。これにより周囲の明るさ情報を取得し、例えば画面の明るさを自動制御することが可能である。
【００２２】
制御部１１２は、通信Ｉ／Ｆ１１８を介して第１ＬＡＮ端子１２３に接続されている。これにより、制御部１１２は、第１ＬＡＮ端子１２３に接続されたＬＡＮ対応のＨＤＤ（ハードディスクドライブ装置）と、通信Ｉ／Ｆ１１８を介して映像信号および音声信号等の情報の送受信を行なうことができる。この場合、制御部１１２は、ＤＨＣＰ（Dynamic Host Configuration Protocol）サーバ機能を有し、第１ＬＡＮ端子１２３に接続されたＬＡＮ対応のＨＤＤにＩＰ（Internet Protocol）アドレスを割り当てて制御している。制御部１１２は、図示していないがさらに別の通信Ｉ／Ｆを介して第２ＬＡＮ端子に接続されてもよい。
【００２３】
制御部１１２は、ＵＳＢ Ｉ／Ｆ１１９を介してＵＳＢ端子１２４に接続されている。これにより、制御部１１２は、ＵＳＢ端子１２４に接続された各機器と、ＵＳＢ Ｉ／Ｆ１１９を介して情報の映像信号および音声信号等の送受信を行なうことができる。
【００２４】
上記制御部１１２は、ｉ．Link（登録商標） Ｉ／Ｆ１２０を介してｉ．Link（登録商標）端子１２５に接続されている。これにより、制御部１１２は、ｉ．Link（登録商標）端子１２５に接続された各機器と、ｉ．Link（登録商標）Ｉ／Ｆ１２５を介して、映像信号および音声信号等の情報の送受信を行なうことができる。
【００２５】
上記制御部１１２は、ＨＤＭＩ（High Definition Multimedia Interface）規格に合致したＨＤＭＩ Ｉ／Ｆ１２１を介してＨＤＭＩ端子１２６に接続された各機器と映像信号および音声信号等の情報の送受信を行なうことができる。
【００２６】
図２は、上記リモートコントローラ２００の外観を示している。このリモートコントローラ２００には、主として、電源キー２００ａ、入力切換キー２００ｂ、３Ｄキー２００ｃ、設定メニューキー２００ｄ、放送チャンネルのダイレクト選局キー２００ｅ、カーソルキー２００ｆ、決定キー２００ｇ、番組表キー２００ｈ、ページ切換キー２００ｉ、タイムシフトキー２００ｊ、戻るキー２００ｋ、終了キー２００ｌ、青，赤，緑，黄のカラーキー２００ｍｂ、２００ｍｒ、２００ｍｇ、２００ｍｙ、チャンネルアップダウンキー２００ｎ、音量調整キー２００ｏ、再生キー２００ｐ、停止キー２００ｓ等が設けられている。
【００２７】
次に、上記放送受信装置１００における録画設定動作の一例について説明する。  
図４に、本実施形態の放送受信装置１００の地デジ機能設定画面の一例を示す。視聴者がリモートコントローラ２００の設定メニューキー２００ｄを選択し、カーソルキー２００ｆおよび決定キー２００ｇを操作して設定メニュー内の初期設定を選択し、初期設定画面の地デジ機能設定を選択すると、制御部１１２はＯＳＤ信号生成部１０６を制御して地デジ機能設定画面４０を表示する。
【００２８】
地デジ機能設定画面４０には、例えば、「基本チャネル設定」、「タイムシフトマシン録画設定」、および、「マルチ画面チャンネル設定」の項目が表示される。タイムシフトマシン録画機能は、視聴者が選択したチャンネルで視聴者が選択した曜日および時間帯において放送された番組を毎週録画することを可能としている。
【００２９】
図５に、本実施形態の放送受信装置１００のタイムシフトマシン録画設定画面５０の一例を示す。地デジ機能設定画面４０において、視聴者がカーソルキー２００ｆおよび決定キー２００ｇを操作してタイムシフトマシン録画設定を選択すると、制御部１１２はＯＳＤ信号生成部１０６を制御してタイムシフトマシン録画設定画面５０を表示する。
【００３０】
タイムシフトマシン録画設定画面５０には、例えば、タイムシフトマシン録画の現在の設定状態を示す「タイムシフトマシン録画  する／しない」、「録画チャンネル」、「録画時間」、および、「システムメンテナンス」の項目が表示される。
【００３１】
視聴者がカーソルキー２００ｆおよび決定キー２００ｇを操作してタイムシフトマシン録画の項目を選択すると、制御部１１２はＯＳＤ信号生成部１０６を制御してタイムシフトマシン録画画面６０を表示する。図６にタイムシフトマシン録画画面６０の一例を示す。タイムシフトマシン録画画面には、「する」と「しない」との項目が表示される。視聴者はカーソルキー２００ｆおよび決定キー２００ｇを操作することにより、タイムシフトマシン録画を行うか否か設定することができる。
【００３２】
視聴者がカーソルキー２００ｆおよび決定キー２００ｇを操作して録画チャンネルの項目を選択すると、制御部１１２はＯＳＤ信号生成部１０６を制御して録画チャンネル画面７０を表示する。図７に録画チャンネル画面７０の一例を示す。録画チャンネル画面７０には、選択可能なチャンネル名と、チャンネル名の脇に配置されたチェックボックスとが表示される。視聴者は、カーソルキー２００ｆと決定キー２００ｇとを操作して録画するチャンネル名を選択し、チェックボックスにチェック印を入れた後、設定完了ボタンを選択すると録画チャンネルを設定することができる。
【００３３】
視聴者がカーソルキー２００ｆおよび決定キー２００ｇを操作して録画時間の項目を選択すると、制御部１１２はＯＳＤ信号生成部１０６を制御して録画時間画面８０を表示する。録画時間画面８０には垂直方向を時間軸とし、水平方向に曜日を並べたマトリクスが表示される。視聴者は、カーソルキー２００ｆで録画する時間を選び、決定キー２００ｇで設定および解除を行う。視聴者は曜日や時間帯のボタンを選択すると、その列や行の全ての時間の設定および解除を行うことができる。設定が終了すると、視聴者は例えばカラーボタン２００ｍｙを選択する。
【００３４】
上記のようにタイムシフトマシン録画の設定を行うと、設定したチャンネルで設定された時間に放送された番組が自動的に録画されるように設定され、信号処理部１０５で所定の信号処理が成された後の番組の映像信号、音声信号および番組情報信号がハードディスク１１２Ｄへ記録される。なお、タイムシフトマシン録画機能により録画された番組は、所定期間が経過すると自動的にハードディスク１１２Ｄから削除される。
【００３５】
また、視聴者は番組を視聴中にリモートコントローラ２００の録画キー２００ｒを選択することにより、録画キー２００ｒを選択したタイミングから視聴中のチャンネルの番組を録画することができる。すなわち、制御部１１２は録画キー２００ｒが選択された信号を受信すると、視聴中のチャンネルについて信号処理部１０５から出力された映像信号および音声信号をハードディスク１１２Ｄや、不揮発性メモリ１１２Ｃ等のメモリや、外付けのハードディスク等の記録手段へ記録開始する。
【００３６】
また、視聴者はリモートコントローラ２００のカーソルキー２００ｆや決定キー２００ｇを操作することにより電子番組表（ＥＰＧ）から番組を選択して録画や録画予約の設定を行うことができる。すなわち、制御部１１２はリモートコントローラ２００の番組表キー２００ｈが選択された信号を受信すると、電子番組表を表示し、視聴者が番組を選択した場合に録画や録画予約の設定を行うことができる。
【００３７】
その他、視聴者は、リモートコントローラ２００を操作して、チャンネルと時間とを指定することにより録画予約を設定する等、種々の録画機能により録画および録画予約の設定を行うことができる。
【００３８】
続いて、このような設定を行った後に、視聴者が放送されている番組表示を静止させる場合の動作の一例について説明する。  
図３に、本実施形態の放送受信装置の動作の一例を説明するフローチャートを示す。まず、制御部１１２はリモートコントローラ２００の停止キー２００ｓが選択されたか否か判断する（ステップＳＴＡ１）。停止キー２００ｓが選択された場合、制御部１１２は映像処理部１０９および音声処理部１０８を制御して、視聴されている番組の表示を静止する（ステップＳＴＡ２）。
【００３９】
続いて、制御部１１２は、リモートコントローラ２００の再生キー２００ｐが選択されたか否か判断し（ステップＳＴＡ３）、再生キー２００ｐが選択された場合には、視聴されていた番組がタイムシフトマシン録画機能あるいはその他の録画機能により録画中であるか否かを判断する（ステップＳＴＡ４）。
【００４０】
視聴されていた番組が録画されている場合には、ハードディスク１１２Ｄに記録された番組の停止位置をチャプタに登録して（ステップＳＴＡ５）、ハードディスク１１２Ｄから番組の音声信号および映像信号を読み出して静止した位置から番組の続きを再生する（ステップＳＴＡ６）。その後、視聴者がチャンネルを変更したか否かを判断し（ステップＳＴＡ７）、チャンネルが変更された場合には現在放送されている変更後のチャンネルの番組をリアルタイムで表示する（ステップＳＴＡ８）。
【００４１】
ステップＳＴＡ３で再生キー２００ｐが選択されない場合には、制御部１１２はさらに停止キー２００ｓが選択されたか判断する（ステップＳＴＡ９）。停止キー２００ｓが選択された場合には、番組の静止を解除して現在放送されている同じチャネルの番組をリアルタイムで表示する（ステップＳＴＡ８）。このとき、静止した番組がすでに終了している場合には異なる番組となる。停止キー２００ｓが選択されない場合には、さらに再生キー２００ｐが選択されたか判断する（ステップＳＴＡ３）。
【００４２】
ステップＳＴＡ４で録画中ではなかった場合、制御部１１２はＯＳＤ信号生成部１０６を制御して、視聴者へ静止した位置から再生することができないことを提示する画面を表示した後、番組の静止を解除して現在放送されている同じチャネルの番組をリアルタイムで表示する（ステップＳＴＡ８）。
【００４３】
図９に、過去の番組表を表示する過去番組表画面９０の一例を示す。視聴者がリモートコントローラ２００のタイムシフトキー２００ｊを選択すると、制御部１１２はＯＳＤ信号生成部１０６を制御して過去番組表画面９０を表示する。過去番組表画面９０には、垂直方向を時間軸とし、水平方向にチャンネルの項目を並べたマトリクスが表示される。垂直方向の時間軸には録画時間画面８０において録画をするように設定した時間のみが表示される。水平方向には録画チャンネル画面７０で録画をするように設定したチャンネルのみが表示される。
【００４４】
制御部１１２は、過去番組表画面９０において、視聴者が視聴中に停止キー２００ｓを選択する操作を行った場合には、その番組の欄にアイコンＩＣを表示して視聴者にどの番組で停止操作を行ったかを提示する。視聴者は、過去番組表画面９０の各番組の欄に表示されるアイコンを目安にして、視聴する番組を選択することができる。
【００４５】
上記のように、視聴者が番組視聴中に表示されている内容を書き留めたり席を外したりする場合にリモートコントローラ２００の停止キー２００ｓを選択することにより画面表示を静止させて、次に再生キー２００ｐが選択された場合に静止した位置から継続して番組を視聴することを可能にする一方、再生キー２００ｐではなく停止キー２００ｓが選択された場合には静止を解除して、静止させた番組と同じチャンネルの番組を表示させることを可能にすることにより、視聴者がより快適に番組を視聴することが可能となる。すなわち、本実施形態によれば、視聴者の利便性を改善した放送受信装置を提供することができる。
【００４６】
また、視聴者が静止した位置をチャプタとして登録することにより、視聴者が録画された番組を視聴する際に静止した位置を見つけやすくなり、視聴者の利便性をより向上させることができる。
【００４７】
なお、上記の実施形態では、視聴者が視聴中の番組を静止する際に停止キー２００ｓを選択し、再び視聴を開始する際に再生キー２００ｐを選択していたが、停止キー２００ｓや再生キーｐに限らず他のキーを選択した場合に上記動作が実行されるように設定してもよい。リモートコントローラ２００の第１キーを選択することにより視聴中の番組が静止し、第２キーを選択することにより番組の視聴を静止した位置から再開し、第３キーを選択することにより番組の静止が解除してリアルタイムの番組が表示されればよい。この場合第１キーと第３キーとは同一のキーであってもよい。また第１キーと第２キーとは同一のキーであってもよい。さらに、第１キー、第２キーおよび第３キーは、図２に示したリモートコントローラ２００に含まれるキーの中から選択されてもよく、リモートコントローラ２００に視聴中の番組を静止する専用のキーと視聴再開するため専用のキーとが設けられてもよい。これらの場合であっても上述の実施形態に係る放送受信装置と同様の効果を得ることができる。
【００４８】
また、上記の放送受信装置は映像表示部１１１とスピーカ１１０とを内蔵していたが、映像表示部１１１とスピーカ１１０とは放送受信装置に外付けされる外部の機器であっても構わない。さらに、上記放送受信装置はハードディスク１１２Ｄを内蔵していたが、ハードディスク１１２Ｄは放送受信装置に外付けされる外部の機器であっても構わない。これらの場合であっても上述の実施形態に係る放送受信装置と同様の効果を得ることができる。
【００４９】
また、上記実施形態では、図３のステップＳＴＡ７で視聴者がチャンネルを変更したか否かを判断し、チャンネルが変更された場合にハードディスク１１２Ｄに記録されたチャンネルの再生を終了していたが、これに限らず、例えばタイムシフトマシン録画の設定時間が経過して録画された番組の表示が終了したら自動的にリアルタイムの番組表示に切り換わるようにしてもよい。その場合であっても上述の実施形態と同様の効果を得ることができる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１００…放送受信装置、１０２…アンテナ、１０３…入力端子、１０４…チューナ部、１０５…信号処理部、１０６…ＯＳＤ信号生成部、１０７…グラフィック処理部、１０８…音声処理部、１０９…映像処理部、１１０…スピーカ、１１１…映像表示部、１１２…制御部、１１２Ｄ…ハードディスク（記録手段）、１１４…受信部、２００…リモートコントローラ、２００ｆ…カーソルキー、２００ｇ…決定キー、２００ｊ…タイムシフトキー、２００ｐ…再生キー（第２キー）、２００ｓ…停止キー（第１キー）。
【図１】
2012222800.tif 000003
【図２】
2012222800.tif 000004
【図３】
2012222800.tif 000005
【図４】
2012222800.tif 000006
【図５】
2012222800.tif 000007
【図６】
2012222800.tif 000008
【図７】
2012222800.tif 000009
【図８】
2012222800.tif 000010
【図９】
2012222800.tif 000011
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
受信した映像信号に対して所定の信号処理を行う信号処理部と、
第１キーと第２キーとを備えたリモートコントローラからの信号を受信する受信部と、
前記信号処理部から出力された映像信号に基づいて番組を記録手段に録画するよう制御した後、前記第１キーが選択された信号を受信した場合に放送されている番組の表示を静止し、
その後前記第２キーが選択された信号を受信した場合であって、かつ、当該番組が静止前から前記記録手段に録画されている場合に、前記番組を静止した位置から前記記録手段を用いて再生するように制御し、
前記第２キーが選択された信号を受信した場合であって、かつ、当該番組が静止前から前記記録手段に録画されていない場合に、前記番組と同じチャンネルの現在放送されている番組を表示するように構成された制御部と、を備えている映像受信装置。
【請求項２】
ＯＳＤ信号を生成するＯＳＤ信号生成部をさらに備え、
前記制御部は、
前記第２キーが選択された信号を受信した場合であって、かつ、当該番組が静止前から前記記録手段に録画されていない場合に、前記ＯＳＤ信号生成部を制御して、静止した位置から表示することが不可能であることを視聴者へ提示し、前記番組と同じチャンネルの現在放送されている番組を表示するように構成されている請求項１記載の放送受信装置。
【請求項３】
前記リモートコントローラは第３キーをさらに備え、
前記制御部は、前記番組の表示を静止した後に前記受信部を介して前記第３キーが選択された信号を受信した場合、前記番組と同じチャンネルの現在放送されている番組を表示するように構成されている請求項１記載の映像受信装置。
【請求項４】
複数のチューナを含む受信手段をさらに備え、
前記制御部は、所定チャンネルについて所定曜日の所定時間に放送された番組を録画するように設定可能である請求項１乃至請求項３のいずれか１項記載の映像受信装置。
【請求項５】
前記制御部は、当該番組が録画されている場合に、前記番組の静止した位置をチャプタに登録するように構成されている請求項１乃至請求項４のいずれか１項記載の映像受信装置。
【請求項６】
前記制御部は、前記番組の表示を静止した後に前記受信部を介して前記第１キーが選択された信号を受信した場合、前記番組と同じチャンネルの現在放送されている番組を、静止した位置から表示することが不可能であることの前記提示をすること無く表示するように構成されている請求項２記載の映像受信装置。
【請求項７】
前記映像処理部から出力された映像信号を表示する映像表示部をさらに備えている請求項１乃至請求項６のいずれか１項記載の放送受信装置。
【請求項８】
受信された映像信号に対して所定の信号処理を行う信号処理部と、
第１キーと第２キーとを備えたリモートコントローラからの信号を受信する受信部と、
前記信号処理部から出力された映像信号に基づいて番組を記録手段に録画するよう制御した後、前記第１キーが選択された信号を受信した場合に放送されている番組の表示を静止し、その後前記第２キーが選択された信号を受信した場合であって、かつ、当該番組が静止前から録画されている場合に、前記番組を静止した位置から前記記録手段を用いて再生するように構成された制御部と、を備えている映像受信装置の制御方法であって、
前記制御部は、前記受信部を介して前記第１キーが選択された信号を受信した場合に番組の表示を静止し、
前記第２キーが選択された信号を受信し、かつ、当該番組が録画されているか判断し、
当該番組が録画されている場合に、前記番組を静止した位置から前記記録手段を用いて再生し、
前記第２キーが選択された信号を受信し、かつ、当該番組が静止前から前記記録手段に録画されていないときに、前記番組と同じチャンネルの現在放送されている番組を表示する、放送受信装置の制御方法。
【手続補正２】
【補正対象書類名】明細書
【補正対象項目名】０００７
【補正方法】変更
【補正の内容】
【０００７】
実施形態によれば受信した映像信号に対して所定の信号処理を行う信号処理部と、第１キーと第２キーとを備えたリモートコントローラからの信号を受信する受信部と、前記信号処理部から出力された映像信号に基づいて番組を記録手段に録画するよう制御した後、前記第１キーが選択された信号を受信した場合に放送されている番組の表示を静止し、その後前記第２キーが選択された信号を受信した場合であって、かつ、当該番組が静止前から前記記録手段に録画されている場合に、前記番組を静止した位置から前記記録手段を用いて再生するように制御し、前記第２キーが選択された信号を受信した場合であって、かつ、当該番組が静止前から前記記録手段に録画されていない場合に、前記番組と同じチャンネルの現在放送されている番組を表示するように構成された制御部と、を備えている映像受信装置が提供される。